(57)【要約】的をしぼったネットワークコンポーネントの起動が、ユーザーの意図する通りに容易に行えるようにするために、ネットワークコンポーネントのアイコン（Ｉ１，Ｉ２，Ｉ４，Ｉ５，Ｉ６）が既に、スクリーン（４）の所期の固定された表示位置で表される。この表示位置は、ネットワークコンポーネントから直接読み出されるか、若しくはＧＵＩＤを介して確定される。
2004535636.tif 000002
【特許請求の範囲】
【請求項１】
表示デバイス上での、ネットワーク内に取り入れられたネットワークコンポーネントの各固有の識別子（Ｉ１，Ｉ２，Ｉ４，Ｉ５，Ｉ６）を介した描写によるネットワークコンポーネントの表示方法において、
ネットワークコンポーネント（１，２，４，５，６）がネットワーク（３）内に取り入れられた場合に、
当該ネットワーク（３）内へのネットワークコンポーネント（１，２，４，５，６）の取り入れとは無関係に、ネットワークコンポーネント（１，２，４，５，６）に対して表示デバイス（４）上で絶対的表示位置若しくは相対的表示位置を割当て、
それによってネットワークコンポーネント（１，２，４，５，６）が、その識別子（Ｉ１，Ｉ２，Ｉ４，Ｉ５，Ｉ６）によって表示デバイス（４）上の表示位置で表されるようにしたことを特徴とする方法。
【請求項２】
前記識別子（Ｉ１，Ｉ２，Ｉ４，Ｉ５，Ｉ６）は、象徴的な記号、例えばアイコンである、請求項１記載の方法。
【請求項３】
前記表示位置は、ネットワークコンポーネント（１，２，４，５，６）内に記憶され、ネットワーク（３）内への取り入れ事象が生じた時に当該ネットワークコンポーネントから読み出される、請求項１または２記載の方法。
【請求項４】
前記ネットワークコンポーネント（１，２，４，５，６）の各々に、個々の認証識別子が割り当てられ、表示位置の割当ては、当該認証識別子の使用によって引き起こされる、請求項１から３いずれか１項記載の方法。
【請求項５】
前記認証識別子は、ネットワークコンポーネント（１，２，４，５，６）のＧＵＩＤである、請求項４記載の方法。
【請求項６】
その絶対表示位置が既に割当てられている、ネットワークコンポーネントの取り入れ事象において、新たな絶対表示位置が、関係する１つまたは複数のネットワークコンポーネント毎に定められる、請求項１から５いずれか１項記載の方法。
【請求項７】
ネットワーク（３）のネットワークコンポーネント（１，２，４，５，６）を表すための表示デバイス（４）と、
各ネットワークコンポーネント（１，２，４，５，６）に対し前記表示デバイス（４）上で各表示位置を割当てるための制御装置とを有している、
ネットワークコンポーネントの表示装置において、
表示位置を記憶するためのメモリデバイスが設けられているか、又は制御装置によりネットワークコンポーネント（１，２，４，５，６）に対する個々の表示位置の割当てを可能にする割当てテーブルが設けられていることを特徴とする装置。
【請求項８】
前記各ネットワークコンポーネント（１，２，４，５，６）は、特定の識別子（Ｉ１，Ｉ２，Ｉ４，Ｉ５，Ｉ６）によって、例えばアイコンによって、表示デバイス（４）上に表すことが可能である、請求項７記載の装置。
【請求項９】
前記ネットワーク（３）は、ＩＥＥＥ１３９４規格のネットワークである、請求項７から８いずれか１項記載の装置。
【請求項１０】
前記制御装置は、ＨＡＶｉ規格のコントローラである、請求項７から９いずれか１項記載の装置。
【請求項１１】
前記各ネットワークコンポーネント（１，２，４，５，６）は、制御装置内でソフトウエア要素、例えばデバイス制御モジュールによって表すことが可能であり、該モジュールは、ネットワークコンポーネント（１，２，４，５，６）に対する固有の認証識別子を含み、さらに評価装置が設けられており、該評価装置により、認証識別子、例えばＧＵＩＤがソフトウエア要素から抽出可能である、請求項７から１０いずれか１項記載の装置。
【請求項１２】
ネットワーク（３）内への取り入れるためのネットワークコンポーネント（１，２，４，５，６）であって、ネットワーク（３）の表示デバイス（４）上でネットワークコンポーネント（１，２，４，５，６）に対して固有の識別子が割当てられる形式のものにおいて、
ネットワークコンポーネント（１，２，４，５，６）が、ネットワーク（３）内で当該ネットワークコンポーネントに割当てられる識別子（Ｉ１，Ｉ２，Ｉ４，Ｉ５，Ｉ６）のためのメモリデバイスを有しているか、又は当該ネットワークコンポーネントに個々の表示位置を割当て可能にする割当てテーブルを有していることを特徴とする、ネットワークコンポーネント。
【発明の詳細な説明】
【技術分野】
【０００１】
本発明は、ディスプレイ装置上で各固有の識別子によってネットワーク内に組み込まれるネットワークコンポーネントの表現によるネットワークコンポーネントの表示のための装置および方法に関している。
【背景技術】
【０００２】
消費家電産業界では、プライベートな家庭環境におけるマルチメディアデバイスのネットワーク化が進められている。その出発点は、異なるデバイスタイプ、特にオーディオ/ビデオデバイス（ＡＶ）の機器接続の多様性にある。これらは多くのケースにおいて一緒に接続可能であり、その利用にはかなりの出費が伴う。例を挙げれば、例えばリビングルームにあるビデオフィルムを（そこにあるレコーダの制御も含めて）寝室のテレビを介して再生することは基本的には無理であるか、高コストの伴うケーブル布線等によってしか実現できないものである。しかしながら、マルチメディアデバイスの魅力的な相互利用性を保証するために、ホームネットワークを用いた可能性が存在する（例えばU. Rieman 著の公知文献“Digital Home Network(DHN); Fernsehen- und Kino-Technik、 54版 No. 12/2000、 P752-758”参照）。
【０００３】
先進の大手家電メーカは、高速データバス規格であるIEEE1394をベースにしたホームネットワークアプリケーションのための標準オペレーティングシステムの開発のための促進委員会を結成すべく共に参入している。このオペレーティングシステムはいわゆるＨＡＶｉ(Home Audio Video Interoperability）という名称のもとで周知である。その傘下の表示と略記には、ＨＡＶｉ仕様において非常に詳細な規定がなされている（バージョン１.０）。
【０００４】
家庭における端末機器のネットワーキング化の到来により、ネットワーク相互接続における全てのユーザーデバイスのユーザーグラフィカル表示手段の存在が必要となってくる。これは通常は、小さな象徴図形（いわゆるアイコン）の形で実現されており、これはユーザーのためにスクリーン上、例えばテレビ画面上に表示される。
【０００５】
ネットワーク相互接続のための個々のコンポーネントは、基本的には無作為の順番でネットワーク内に取り入れられる。この相互接続を任意に実施するデバイスによるホームネットワークの無作為なコンフィグレーションは、結果的にスクリーン上で状況を指示する配列となる。ネットワークコンポーネント数が多数になる場合には、ユーザーは、所定の状況のもとで、所期のデバイスのアイコン探すのに骨が折れる結果となる。
【０００６】
この結果に鑑みて本発明の課題は、ユーザーのために狙いを定めたネットワークコンポーネントの駆動を容易にさせることである。
【０００７】
上記課題は本発明により、ネットワークコンポーネントがネットワーク内に取り入れられた場合に、当該ネットワーク内へのネットワークコンポーネントの取り入れとは無関係に、ネットワークコンポーネントに対して絶対表示位置若しくは相対表示位置を割当て、
それによってネットワークコンポーネントがその識別子と共に表示デバイス上の表示位置で表されるようにしたことを特徴とする、表示デバイス上でのネットワーク内に取り入れられたネットワークコンポーネントの各固有の識別子を介した描写によるネットワークコンポーネントの表示方法によって解決される。
【０００８】
また上記課題は本発明により、表示位置を記憶するためのメモリデバイスが設けられているか、又は制御装置によりネットワークコンポーネントに対する個々の表示位置の割当てを可能にする割当てテーブルが設けられていることを特徴とする、ネットワークのネットワークコンポーネントを表すための表示デバイスと、各ネットワークコンポーネントに対し前記表示デバイス上で各表示位置を割当てるための制御装置とを有している、ネットワークコンポーネントの表示装置によって解決される。
【０００９】
これらにより有利には、ユーザーによる、前述ｓたようなアイコンの特定配列がホームネットワーク内のデバイスの操作毎に実現できるようになる。それによりユーザーは、当該アイコンを非常に迅速に、骨を折ることなく探し出すことができる。このアイコンの配列は、ネットワーク形成のために構成されたデバイスの順序ないし経過とは無関係に維持することが可能である。
【００１０】
本発明は、以下の明細書で図面に基づいてさらに詳細に説明される。この場合、
図１は、ディジタルホームネットワーク内のネットワークコンポーネントを表した図であり、
図２は、スクリーン上で図１のネットワークコンポーネントを表すアイコンの配列状態を示した図である。
【実施例】
【００１１】
次に本発明の実施例を説明する。
【００１２】
図１には第１のテレビ受像機１とビデオレコーダ２が概略的に再現されている。これらはＩＥＥＥ１３９４規格のネットワーク３に接続されている。さらに第２のテレビ受像機４とコンピュータ５がネットワーク３に接続されている。図には示されていないがＨＡＶｉ“Home Audio Video Interoperability”規格によって設けられる少なくとも１つのコントローラが別個のユニットとして、あるいは１つ若しくはそれ以上のネットワークコンポーネント１，２，４，５の中に配置される必要がある。コントローラがネットワークコンポーネントの１つに配置されているならば、以下では、ＨＡＶｉ規格のソフトウエア要素の実行ないし実現規模に応じてＩＡＶ“Intermediate AV Device（中間ＡＶデバイス）”若しくはＦＡＶ“Full AV Device（完全ＡＶデバイス）”と称する。残りのネットワークコンポーネントは、そのようなコントローラを備える必要はなく、それらはいわゆるＢＡＶ“Base AV Device（ベースＡＶデバイス）”もしくはＬＡＶ“Legacy AV Device（レガシイＡＶデバイス）”とも称される。すなわち本来的にある程度の処理能力を備えたデバイスか、そのような能力を備えていないデバイスである。
【００１３】
１つまたは複数のＨＡＶｉコントローラにおいては（ネットワークの全てのデバイス若しくはコンポーネント）、各々のケース毎にいわゆるＤＣＭ“Device Control Module（デバイスコントロールモジュール）”によって表される。このＤＣＭは、ＨＡＶｉオペレーティングシステムの一般的なコマンドをデバイス特有のコマンドに変換している。完全に申し分のない認証に対しては、ＤＣＭは、特定の認証識別子、いわゆるＳＥＩＤ“Software Element Identifier”(ソフトウエア要素識別子）を有している。しかしながら後者は基本的には動的なものであり、そのためネットワークの構成後若しくは新たなネットワークコンポーネントの受け入れ後は、デバイスまたはコンポーネントに割当てられたＤＣＭがいつでも同じＳＥＩＤを有していると想定することはできない。それどころかネットワーク内に新たに取り入れられたデバイスに対するＳＥＩＤは、一般に既存のネットワークの状態に依存する。それ故にＳＥＩＤは、デバイスの絵表示のための割付判断基準にもちいることはできない。
【００１４】
しかしながら各ＤＣＭは、いわゆるＨＵＩＤ“HAVi Unique Identifier”を含んでいる。このＨＵＩＤの構成要素は、ＤＣＭによって表されるデバイスのＧＵＩＤ“Global Unique Identifier”である。このＧＵＩＤは、各デバイス毎に一意（固有）のものであって不変である。このことは、異なるＳＥＩＤにもかかわらず、ＧＵＩＤが各ＤＣＭのＨＵＩＤから一意のデバイス識別子が得られることを意味する。この固有の認証識別子は、例えばロックアップテーブルを介して相応の表示位置とリンクし得る。その結果として、各デバイス毎に、ネットワークからのデバイスの絵表示の割付に対する固有の判断基準が得られる。
【００１５】
ネットワーク内のデバイスのＧＵＩＤの中央管理に対しては、このＧＵＩＤがネットワーク制御装置またはＨＡＶｉコントローラのメモリに記憶可能か若しくは制御装置がアクセスできるその他のメモリ内に記憶可能である。種々のネットワークコンポーネントのアイコンの表示位置選定は、メモリ内のＧＵＩＤの記憶順序から直接導出することもできるし、表示パターンの位置選定に対するＧＵＩＤの割付から導出してもよい。
【００１６】
図２は、テレビ受像機４のスクリーン上において、個々のネットワークコンポーネント１，２，４，５，６のアイコンがユーザー固有のパターンでどのように割付られるかについての一例を示している。ここでアイコンＩ１とＩ４は、２つのテレビ受像機セット１おと４を表しており、アイコンＩ２とＩ６とＩ５は、ビデオレコーダ２とカムコーダ６とコンピュータ５を表している。ユーザーはこのパターンに対しては非常に慣れており、例えば１行目のテレビ受像機セットをいつでも正確にサーチできる。
【００１７】
図２の実施例では、図１からも明らかであるが、カムコーダ６はネットワーク３に接続されていない。従って図２では、このことはアイコンＩ６が波線によって示されていることで表されている。このアイコンＩ６は、例えば完全に消去されていてもよいし、例えばプレースホールダなどを用いて陰影表示されてもよい。ただしいずれのケースにおいても、表示位置は、このカムコーダ６のために空けられる。カムコーダ６がネットワークに接続された場合には、割当てられているアイコンＩ６がユーザーにとって見慣れている位置に挿入され、図２において表示される。
【００１８】
図２は、スクリーン上に割付可能なアイコンの簡素なパターンを例示したものである。既に図示しているように、このアイコンはユーザー固有の順番で表すことができる。例えばユーザーは、ネットワークに統合された洗濯機のアイコンを最初に表示して、それに続けて他のデバイス、例えばコンピュータなどを表示するようにしてもよい。そのようなアイコンの順番は、行毎若しくは列毎に表してもよい。
【００１９】
前述の実施例では、アイコンの表示位置は、固有のＧＵＩＤを用いた制御装置によって定められている。しかしながら代替的に、この表示位置は、表示コンポーネントに直接記憶されたものであってもよい。ネットワーク制御装置は、記憶されている表示位置を読み出し、それを表示の直接の基準としてスクリーン上で利用してもよい。このことは、異なるネットワーク間でネットワークコンポーネントを、ネットワーク固有のアイコン表示の絶対位置若しくは相対位置で再現できる点で有利である。これによれば、たとえば、特定デバイスのアイコンをいつでもスクリーン中央に表示させたり、あるいは特定の順番、例えば常に３番目に表示させることも可能である。この点について、例えばその典型的な適用例において、ユーザーが自身のカムコーダの操作を自宅のネットワークにおいても、休暇用の別荘のネットワークにおいても同じように操作したいと思った時には、どちらのネットワークおいても、カムコーダのアイコンをいつでも見慣れた位置で見つけることができる。
【００２０】
ネットワークコンポーネントは、有利にはメモリを有しており、このメモリにはネットワーク３内のそれらの個々の表示位置が記憶されている。まだその受け入れが未登録であるネットワーク内への受け入れの場合には、記憶されている表示位置が優先的に自動的に位置づけされる。ユーザーがこのネットワークに対して当該ネットワークコンポーネントに対するのと異なる位置を選択した場合には、それがネットワークコンポーネントのメモリデバイスに記憶される。従ってネットワークコンポーネントは、異なるネットワーク毎に異なった固定の表示位置を相応に有し得る。このことは、デバイスが、異なるネットワークにおいて異なるユーザーにより異なる優先度で使用される場合には有利となる。例えば家族の間で共通に使用されるカムコーダがそれぞれの個人ネットワークに取り入れられるような場合である。
【００２１】
ユーザーがどこで表示したいか、ＧＵＩＤに割付けられたアイコンが記憶されているテーブルを作成する時には、新たなデバイスをネットワークに組み込みたい時に全てのネットワークコンポーネントが現存していない場合には、新たなデバイスのアイコンの位置を記憶するにあたって問題が生じ得る。このことは以下での実施例に基づいて説明する。まずネットワークは、１０個のコンポーネントを有し、それらのアイコンはユーザーによって特定の順番で割付けられているものとする。さらにデバイスの半分は、ネットワークから一時的に外され、新たに１１番目のデバイスが、まだ残っている５個のデバイスに加えられるものとする。その上さらに、ユーザーが、先に位置付けされていたネットワークから外されたデバイスのアイコン間で、２つのデバイスアイコン間にアイコンを位置付けるものと仮定する。このようなケースにおいては、新たなアイコンに対して固有の記憶位置を割付けることは不可能である。この問題に対しては原則的に以下の解決手段が検討される。すなわち、
1.  新たなアイコンは、テーブルにおいて、他の２つの可視アイコン間の任意の場所に位置付けられる。このケースにおいて、離れていたデバイスが再び接続される事象が生じた場合には、ユーザーは、前記デバイスに対して新たな位置を定められる。
2.  絶対位置を有するテーブルは、記憶されない。が、相対位置を有するリストだけは記憶される。考慮されるＧＵＩＤは、例えば、ＧＵＩＤＹの前に到来するＧＵＩＤＸに続けられる。この手法のケースでは、いつでもアイコンリストが作成され、全てのアイコンの最適な割付は、いわば構文的演算のように定められる。
【００２２】
本発明は、ＨＡＶｉネットワークに限定されるものではない。それどころか本発明は、ＨＡＶｉ規格に対応していないデバイスを柚須売るネットワークにも適用が可能である。そのようなネットワークのコントローラは、ネットワーク内に存在する全てのデバイスを識別しなければならない。その目的のために各デバイスは、ネットワーク内で固有のデバイス識別子（例えばＧＵＩＤ）を備える必要がある。ＧＵＩＤを使用するケースにおいては、ＨＵＩＤを介した迂回パスが要求されないことが達成される。表示順序又は表示パターンは、前述した実施例のように、ＧＵＩＤに従って生成される。
【図面の簡単な説明】
【００２３】
【図１】ディジタルホームネットワーク内のネットワークコンポーネントを表した図である
【図２】スクリーン上で図１のネットワークコンポーネントを表すアイコンの配列状態を示した図である
【符号の説明】
【００２４】
１      第１のテレビ受像機
２      ビデオレコーダ
３      IEEE1394準拠のネットワーク
４      第２のテレビ受像機
５      コンピュータ
ＩＡＶ    Intermediate AV Devaice
ＦＡＶ    Full AV Device
ＢＡＶ    Base AV Device
ＬＡＶ    Legacy AV Device
ＤＣＭ    Device Control Module
ＳＥＩＤ  Software Element Identifier
ＨＵＩＤ  HAVi Unique Identifier
ＧＵＩＤ  Global Unique Identifier
【図１】
2004535636.tif 000003
【国際公開パンフレット】
2004535636.tif 000004
2004535636.tif 000005
2004535636.tif 000006
2004535636.tif 000007
2004535636.tif 000008
2004535636.tif 000009
2004535636.tif 000010
2004535636.tif 000011
2004535636.tif 000012
2004535636.tif 000013
2004535636.tif 000014
2004535636.tif 000015
2004535636.tif 000016
2004535636.tif 000017
【手続補正書】
【提出日】平成15年4月23日(2003.4.23)
【手続補正１】
【補正対象書類名】特許請求の範囲
【補正対象項目名】全文
【補正方法】変更
【補正の内容】
【特許請求の範囲】
【請求項１】
各固有の識別子（Ｉ１，Ｉ２，Ｉ４，Ｉ５，Ｉ６）による表示デバイス上での、ネットワーク内に取り入れられたネットワークコンポーネントの描写によるネットワークコンポーネントの表示方法であって、
ネットワークコンポーネント（１，２，４，５，６）に対して表示デバイス（４）上で絶対的表示位置若しくは相対的表示位置が割当てられる形式のものにおいて、
ネットワーク（３）内に取り入れられたネットワークコンポーネント（１，２，４，５，６）の各固有の識別子（Ｉ１，Ｉ２，Ｉ４，Ｉ５，Ｉ６）が、前記割当てられた表示位置によって定められる順序で同時に表示されるようにしたことを特徴とする方法。
【請求項２】
前記識別子（Ｉ１，Ｉ２，Ｉ４，Ｉ５，Ｉ６）は、象徴的な記号、例えばアイコンである、請求項１記載の方法。
【請求項３】
前記表示位置は、ネットワークコンポーネント（１，２，４，５，６）内に記憶され、ネットワーク（３）内への取り入れ事象が生じた時に当該ネットワークコンポーネントから読み出される、請求項１または２記載の方法。
【請求項４】
前記ネットワークコンポーネント（１，２，４，５，６）の各々に、個々の認証識別子が割り当てられ、表示位置の割当ては、当該認証識別子の使用によって引き起こされる、請求項１から３いずれか１項記載の方法。
【請求項５】
前記認証識別子は、ネットワークコンポーネント（１，２，４，５，６）のＧＵＩＤである、請求項４記載の方法。
【請求項６】
その絶対表示位置が既に割当てられている、ネットワークコンポーネントの取り入れ事象において、新たな絶対表示位置が、関係する１つまたは複数のネットワークコンポーネント毎に定められる、請求項１から５いずれか１項記載の方法。
【請求項７】
各固有の識別子（Ｉ１，Ｉ２，Ｉ４，Ｉ５，Ｉ６）によってネットワーク（３）のネットワークコンポーネント（１，２，４，５，６）を表すための表示デバイス（４）と、
各ネットワークコンポーネント（１，２，４，５，６）に対し前記表示デバイス（４）上で各表示位置を割当てるための制御装置とを有している、
ネットワークコンポーネントの表示装置において、
前記制御装置は、ネットワーク内に取り入れられたネットワークコンポーネントの各固有の識別子（Ｉ１，Ｉ２，Ｉ４，Ｉ５，Ｉ６）を、割当てられた表示位置によって定められる順序で同時に表示するように構成されていることを特徴とする装置。
【請求項８】
表示位置を記憶するためのメモリデバイスか、又は制御装置によりネットワークコンポーネント（１，２，４，５，６）に対する個々の表示位置の割当てを可能にする割当てテーブルが設けられている、請求項７記載の装置。
【請求項９】
前記各ネットワークコンポーネント（１，２，４，５，６）は、特定の識別子（Ｉ１，Ｉ２，Ｉ４，Ｉ５，Ｉ６）によって、例えばアイコンによって、表示デバイス（４）上に表すことが可能である、請求項７または８記載の装置。
【請求項１０】
前記ネットワーク（３）は、ＩＥＥＥ１３９４規格のネットワークである、請求項７から９いずれか１項記載の装置。
【請求項１１】
前記制御装置は、ＨＡＶｉ規格のコントローラである、請求項７から１０いずれか１項記載の装置。
【請求項１２】
前記各ネットワークコンポーネント（１，２，４，５，６）は、制御装置内でソフトウエア要素、例えばデバイス制御モジュールによって表すことが可能であり、該モジュールは、ネットワークコンポーネント（１，２，４，５，６）に対する固有の認証識別子を含み、さらに評価装置が設けられており、該評価装置により、認証識別子、例えばＧＵＩＤがソフトウエア要素から抽出可能である、請求項７から１１いずれか１項記載の装置。
【請求項１３】
ネットワーク（３）内への取り入れるためのネットワークコンポーネント（１，２，４，５，６）であって、ネットワーク（３）の表示デバイス（４）上でネットワークコンポーネント（１，２，４，５，６）に対して固有の識別子が割当てられる形式のものにおいて、
ネットワークコンポーネント（１，２，４，５，６）が、ネットワーク（３）内で当該ネットワークコンポーネントに割当てられる識別子（Ｉ１，Ｉ２，Ｉ４，Ｉ５，Ｉ６）のためのメモリデバイスを有しているか、又は当該ネットワークコンポーネントに個々の表示位置を割当て可能にする割当てテーブルを有していることを特徴とする、ネットワークコンポーネント。
【国際調査報告】
2004535636.tif 000018
2004535636.tif 000019
2004535636.tif 000020